(57)【要約】      （修正有）【課題】外観を良好な状態に容易に維持できる衛生マスクを提供する。【解決手段】衛生マスクは、遮断板部１と、第１帯板部２と、顎当接部３と、固定部４とを備える。遮断板部１は、着用者の口の前方に配設される。第１帯板部２は、Ｕ字状に湾曲し、着用者の顎の前面及び側面に対向する対向面部１１、及び対向面部に形成され遮断板部を支持する支持部１２を有する。顎当接部３は、第１帯板部２と顎の前面との間に配設され、第１帯板部を顎の前面から離隔させる。固定部４は、第１帯板部を着用者の顔に固定する。【選択図】図３
0003216077.tif 000002
【実用新案登録請求の範囲】
【請求項１】
着用者における口の前方に配設され、口から異物が飛散することを遮断する遮断板部と、
Ｕ字状に湾曲し、前記着用者における顎の前面及び側面に対向する対向面部、及び前記対向面部に形成され前記遮断板部を支持する支持部を有する第１帯板部と、
前記第１帯板部と前記顎の前記前面との間に配設され、前記第１帯板部を前記顎の前記前面から離隔させる顎当接部と、
前記第１帯板部を前記着用者の顔に固定する固定部とを備える衛生マスク。
【請求項２】
前記支持部は、前記対向面部に形成される複数の凸部を含み、
前記遮断板部は、前記複数の凸部と嵌合する複数の貫通孔を有する請求項１に記載の衛生マスク。
【請求項３】
前記複数の凸部のうち少なくとも２つの凸部は、前記対向面部における上下方向の位置が互いに異なっている請求項２に記載の衛生マスク。
【請求項４】
前記遮断板部を前記対向面部との間に挟んだ状態で前記第１帯板部に固定される第２帯板部を更に備える請求項１から請求項３のいずれか１項に記載の衛生マスク。
【請求項５】
前記支持部は、前記対向面部に形成される複数の凸部を含み、
前記遮断板部は、前記複数の凸部と嵌合する複数の貫通孔を有し、
前記複数の凸部は、前記複数の貫通孔に嵌合しているときに前記複数の貫通孔から外部に突出する先端部を有しており、
前記第２帯板部は、前記複数の凸部の前記先端部に嵌合する複数の凹部を有する請求項４に記載の衛生マスク。
【考案の詳細な説明】
【技術分野】
【０００１】
本考案は、衛生マスクに係り、代表的には透明な板材によって、口からの異物の飛散を遮断する衛生マスクに関するものである。
【背景技術】
【０００２】
透明な遮断板材によって口からの異物の飛散を遮断する衛生マスクとして、特許文献１、特許文献２には、Ｕ字状に湾曲した帯板状の支持部材を有する衛生マスクが記載されている。特許文献１、特許文献２に記載の衛生マスクにおいては、支持部材の上側で遮断板材を支持するために、支持部材の上面に溝状部が形成される。遮断板材は、下端部に結合片を有し、結合片が支持部材の溝状部に嵌合することによって、遮断板材は、支持部材に支持される。
【先行技術文献】
【特許文献】
【０００３】
【特許文献１】特開２０１２−１５７７８１号公報
【特許文献２】特開２０１３−１３７６２号公報
【考案の概要】
【考案が解決しようとする課題】
【０００４】
しかしながら、特許文献１に記載の衛生マスクにおいては、溝状部が支持部材の上面に開口しており、口からの異物や埃が溝状部に入り込み、衛生マスクの外観が容易に悪化してしまうおそれがある。
【０００５】
そのため、本考案は、支持部材の上面に凹凸を形成することなく遮断板材を支持することができ、支持部材の上面から異物を取り除くことが容易であり、外観を良好な状態に容易に維持できる衛生マスクを提供することを目的とする。
【課題を解決するための手段】
【０００６】
本考案の衛生マスクは、遮断板部と、第１帯板部と、顎当接部と、固定部とを備える。前記遮断板部は、着用者における口の前方に配設され、口から異物が飛散することを遮断する。前記第１帯板部は、Ｕ字状に湾曲し、対向面部、及び支持部を有する。前記対向面部は、前記着用者における顎の前面及び側面に対向する。前記支持部は、前記対向面部に形成され、前記遮断板部を支持する。前記顎当接部は、前記第１帯板部と前記顎の前記前面との間に配設され、前記第１帯板部を前記顎の前記前面から離隔させる。前記固定部は、前記第１帯板部を前記着用者の顔に固定する。
【０００７】
本考案の衛生マスクにおいて、前記支持部は、前記対向面部に形成される複数の凸部を含む。前記遮断板部は、前記複数の凸部と嵌合する複数の貫通孔を有する。
【０００８】
また、本考案の衛生マスクにおいて、前記複数の凸部のうち少なくとも２つの凸部は、前記対向面部における上下方向の位置が互いに異なっている。
【０００９】
また、本考案の衛生マスクは、第２帯板部を更に備える。前記第２帯板部は、前記遮断板部を前記対向面部との間に挟んだ状態で前記第１帯板部に固定される
【００１０】
また、本考案の衛生マスクにおいて、前記複数の凸部は、前記複数の貫通孔に嵌合しているときに前記複数の貫通孔から外部に突出する先端部を有している。また、前記第２帯板部は、前記複数の凸部の前記先端部に嵌合する複数の凹部を有する。
【考案の効果】
【００１１】
本考案の衛生マスクによれば、第１帯板部は、対向面部、及び支持部を有する。対向面部は、着用者における顎の前面及び側面に対向する。支持部は、対向面部に形成され、遮断板部を支持する。従って、第１帯板部の上面に凹凸を形成することなく、第１帯板部によって遮断板部を支持することができ、第１帯板部の上面から異物を取り除くことが容易であり、衛生マスクの外観を良好な状態に容易に維持できる。
【図面の簡単な説明】
【００１２】
【図１】本考案の実施形態に係る衛生マスクを示す側方斜視図である。
【図２】本考案の実施形態に係る衛生マスクを示す後方斜視図である。
【図３】本考案の実施形態に係る衛生マスクを示す分解斜視図である。
【図４】本考案の実施形態に係る衛生マスクの部分拡大図である。
【考案を実施するための形態】
【００１３】
以下、本考案に係る衛生マスクの実施形態について、添付の図面に基づいて詳しく説明する。なお、以下に説明する実施形態は、本考案を実施するに好ましい具体例であるから、技術的に種々の限定がなされているが、本考案は、以下の説明において特に考案を限定する旨が明記されていない限り、この形態に限定されるものではない。また、明細書において、「上」は顎から頭頂部に向かう方向を示し、「下」は「上」の反対方向を示し、「横方向」は「上」又は「下」を縦方向としたときの横方向を示す。
【００１４】
［実施形態］
以下、図１〜図４を参照して、本考案の実施形態を説明する。図１は、本考案の実施形態に係る衛生マスクを示す側方斜視図である。図２は、本考案の実施形態に係る衛生マスクを示す後方斜視図である。図３は、本考案の実施形態に係る衛生マスクを示す分解斜視図である。
【００１５】
図１、図３に示すように、実施形態に係る衛生マスクは、遮断板部１、第１帯板部２、顎当接部３、固定部４を備える。遮断板部１は、着用者Ｍにおける口の前方に配設され、口から異物が飛散することを遮断する。第１帯板部２は、Ｕ字状に湾曲しており、対向面部１１及び支持部１２を有する。対向面部１１は、着用者Ｍにおける顎Ｊの前面Ｊａ及び側面Ｊｂに対向する。支持部１２は、対向面部１１に形成され、遮断板部１を支持する。顎当接部３は、第１帯板部２と顎Ｊの前面Ｊａとの間に配設され、第１帯板部２を顎Ｊの前面Ｊａから離隔させる。固定部４は、第１帯板部２を着用者Ｍの顔に固定する。
【００１６】
また、実施形態に係る衛生マスクは、図２、図３に示すように、第２帯板部５を更に備える。第２帯板部５は、対向面部１１との間に遮断板部１を挟んだ状態で第１帯板部２に固定される。実施形態においては、第２帯板部５は、対向面部１１との間に遮断板部１の下部１ａを挟む。
【００１７】
遮断板部１は、可撓性を有し、無色透明又は有色透明の樹脂板材から形成される。樹脂板材は、例えばポリプロピレン、ポリエチレン、又はポリエチレンテレフタレートを含む。遮断板部１の形状は、頂部が平坦な山状、又は丘状である。遮断板部１は、図１に示すように、着用者Ｍの口と鼻の下部を前方から覆う程度のサイズを有する。
【００１８】
第１帯板部２は、例えば樹脂から形成される。樹脂は、例えばポリプロピレン、ポリエチレン、又はポリエチレンテレフタレートを含む。対向面部１１は、第１帯板部２の２つの主面のうち湾曲形状における内側面に対応する。また、対向面部１１は、長手方向の中央部において顎Ｊの前面Ｊａに対向し、残部において顎Ｊの側面Ｊｂに対向する。
【００１９】
顎当接部３は、図２、図３に示すように、第２帯板部５と一体に形成されている。また、顎当接部３は、顎Ｊの前面Ｊａに当接する上側部３ａと、顎先に当接する下側部３ｂと、上側部３ａを第２帯板部５に連結する連結部３ｃとを有する。
【００２０】
固定部４は、実施形態においては、第１帯板部２を着用者Ｍの両耳に留めるための一対のゴム紐である。図２、図３に示すように、第１帯板部２は、長手方向の両端部に一対の爪片２ａを有している。一対の爪片２ａに、固定部４としての一対のゴム紐が、それぞれの中央部を係合され、細長い輪状にされ、両耳に掛けられる。
【００２１】
第２帯板部５は、第１帯板部２と同様に湾曲しており、２つの主面のうち湾曲形状における外側面が対向面部１１に接するように、第１帯板部２に重ね合わされ、固定される。実施形態においては、第２帯板部５における長手方向の両端部が一対の爪片２ａに係合し、第２帯板部５が第１帯板部２に固定される。また、図２、図３に示すように、第２帯板部５の湾曲形状における内側面には、連結部３ｃによって、顎当接部３の上側部３ａが一体に連結される。
【００２２】
［遮断板部１、第１帯板部２］
次に、図３、図４を参照して、遮断板部１、第１帯板部２を更に詳細に説明する。図４は、本考案の実施形態に係る衛生マスクの部分拡大図である。図３に示すように、第１帯板部２の支持部１２は、対向面部１１に形成される複数の凸部２１を含む。遮断板部１は、複数の凸部２１と嵌合する複数の貫通孔２４を含む。複数の貫通孔２４は、遮断板部１の下部１ａに形成される。
【００２３】
図４に示すように、複数の凸部２１は、先端部２１ａを有する。先端部２１ａは、複数の凸部２１が複数の貫通孔２４に嵌合しているときに、複数の貫通孔２４から外部に突出する。また、図３に示すように、複数の凸部２１のうち少なくとも２つの凸部２１は、対向面部１１における上下方向の位置が互いに異なっている。なお、実施形態においては、凸部２１の個数は２つであり、貫通孔２４の個数も２つである。
【００２４】
第１帯板部２において、対向面部１１の下端部には、必須ではないが、支持部１２の一要素として、長手方向に延びる段差部２２が形成される。また、対向面部１１において、第１帯板部２における両端部の近傍には、必須ではないが、支持部１２の一要素として、突起状の一対の雄部２３が形成される。また、遮断板部１の下部１ａにおける横方向の両端部には、一対の切欠部１ｂが形成されている。
【００２５】
段差部２２は、遮断板部１が第１帯板部２に支持されるときに、遮断板部１の下端部に当接する。従って、複数の凸部２１を複数の貫通孔２４に嵌合するときに、位置合わせを容易にすることができ、遮断板部１を第１帯板部２に取り付ける取付作業を容易にすることができる。
【００２６】
一対の雄部２３は、遮断板部１が第１帯板部２に支持されるとき、一対の切欠部１ｂに嵌合する。一対の雄部２３が一対の切欠部１ｂに嵌合することによって、遮断板部１の下部１ａが第１帯板部２に沿って湾曲するように、遮断板部１を撓ませることができ、複数の凸部２１と複数の貫通孔２４との嵌合状態を維持でき、遮断板部１を第１帯板部２に安定的に支持させることができる。
【００２７】
［第２帯板部５］
次に、図３、図４を参照して、第２帯板部５を更に詳細に説明する。図３、図４に示すように、第２帯板部５は、複数の凸部２１の先端部２１ａに嵌合する複数の凹部２５を有する。複数の凹部２５は、第２帯板部５の湾曲形状における外側面に形成される。遮断板部１が第１帯板部２に支持されているときに、複数の凸部２１の先端部２１ａが複数の凹部２５に嵌合する。
【００２８】
以上、図１〜図４を参照して説明したように、本実施形態によれば、第１帯板部２は、対向面部１１、及び支持部１２を有する。対向面部１１は、着用者Ｍにおける顎Ｊの前面Ｊａ及び側面Ｊｂに対向する。支持部１２は、対向面部１１に形成され、遮断板部１を支持する。従って、第１帯板部２の上面に凹凸を形成することなく、第１帯板部２によって遮断板部１を支持することができ、第１帯板部２の上面から異物を取り除くことが容易であり、衛生マスクの外観を良好な状態に容易に維持できる。
【００２９】
また、図３を参照して説明したように、本実施形態によれば、支持部１２は、対向面部１１に形成される複数の凸部２１を含み、遮断板部１は、複数の凸部２１と嵌合する複数の貫通孔２４を有する。従って、複数の凸部２１を複数の貫通孔２４に嵌合するだけの簡単な操作によって、遮断板部１を第１帯板部２に支持させることができ、遮断板部１の第１帯板部２への取り付けを容易にすることができる。
【００３０】
また、図３を参照して説明したように、本実施形態によれば、２つの凸部２１は、対向面部１１における上下方向の位置が互いに異なっている。２つの凸部２１における上下方向の位置が互いに異なっていることに対応して、２つの貫通孔２４も、遮断板部１の下部１ａにおける上下方向の位置が互いに異なっている。従って、遮断板部１の面方向に対して垂直な力が遮断板部１の上部に掛かったときに、複数の凸部２１を支点として遮断板部１が回動することを防止でき、遮断板部１を第１帯板部２に安定的に支持させることができる。
【００３１】
また、図２、図３を参照して説明したように、本実施形態によれば、第２帯板部５が、対向面部１１との間に遮断板部１を挟んだ状態で第１帯板部２に固定される。従って、遮断板部１を第１帯板部２に、より安定的に支持させることができる。また、２つの凸部２１が２つの貫通孔２４から抜けないように、第２帯板部５によって遮断板部１を押さえることができ、遮断板部１を第１帯板部２に更に安定的に支持させることができる。
【００３２】
また、図３、図４を参照して説明したように、本実施形態によれば、複数の凸部２１は、複数の貫通孔２４に嵌合しているときに複数の貫通孔２４から外部に突出する先端部２１ａを有する。また、第２帯板部５は、複数の凸部２１の先端部２１ａに嵌合する複数の凹部２５を有する。従って、複数の凸部２１が複数の貫通孔２４から抜けないように、第２帯板部５によって、より確実に遮断板部１を押さえることができ、遮断板部１を第１帯板部２に更に安定的に支持させることができる。
【００３３】
以上、図面（図１〜図４）を参照しながら本考案の実施形態を説明した。但し、本考案は、上記の実施形態に限られるものではなく、その要旨を逸脱しない範囲で種々の態様において実施することが可能である。
【符号の説明】
【００３４】
１…遮断板部
２…第１帯板部
２ａ…爪片
３…顎当接部
４…固定部
５…第２帯板部
１１…対向面部
１２…支持部
２１…凸部
２１ａ…先端部
２４…貫通孔
２５…凹部
【図１】
0003216077.tif 000003
【図２】
0003216077.tif 000004
【図３】
0003216077.tif 000005
【図４】
0003216077.tif 000006